(57)【特許請求の範囲】
【請求項１】
床部の左右両側から外側に突出するサイドホルダーに形成の係止孔に側柵の脚部を上方から差し込んで固定する解除自在な寝台における側柵のロック装置において、前記側柵の脚部の下側周面に位置する部位に該脚部をそれと直交する方向から押圧して該脚部の上方への移動を阻止するための押圧部材を前記サイドホルダーに備えさせ、前記押圧部材が上方側の水平軸芯周りで揺動自在に前記サイドホルダーに形成の凹部内に取り付けられ、該押圧部材を該サイドホルダーの凹部内に入り込んだロック姿勢と該凹部から外方側へ移動したロック解除姿勢とに前記押圧部材を姿勢変更自在に構成し、前記押圧部材にて前記脚部を押圧する部位が前記揺動軸芯よりも下方に位置させたことを特徴とする寝台における側柵のロック装置。
【請求項２】
前記押圧部材が前後端面を有する形状に構成され、前記押圧部材の前後端面を接当案内するために前記凹部を構成する前後一対のガイド面を前記サイドホルダーに備えさせ、前記ガイド面に前記押圧部材の前後端面に前後方向にそれぞれ突出形成した突出部が該押圧部材のロック姿勢において係止保持するための係止孔を形成してなる請求項１記載の寝台における側柵のロック装置。
【請求項３】
前記押圧部材を、それの外形がほぼ長方形で側面視においてほぼＴ字形状に形成され、内部に多数の凹部を形成し、該押圧部材の左右方向外方に位置する面に水平方向の突起を形成し、前記サイドホルダーの内部に奥まった外面と該押圧部材との間に下方から指を突っ込むことができる隙間を形成してなる請求項１又は２記載の寝台における側柵のロック装置。
【請求項４】
前記係止孔が左右方向に長い長孔である請求項２記載の寝台における側柵のロック装置。
【請求項５】
前記サイドホルダーが、前記床部を構成する床のうちの前方側に位置し、かつ、後方側の水平軸芯周りで起伏揺動自在な背部床に取り付けられている請求項１〜４のうちのいずれか１項に記載の寝台における側柵のロック装置。
【請求項６】
前記サイドホルダーが、前記床部を構成する床のうちの後方側に位置し、かつ、前方側の水平軸芯周りで起伏揺動自在な膝部床の後端部に枢支連結された脚部床に取り付けられている請求項１〜４のうちのいずれか１項に記載の寝台における側柵のロック装置。
【発明の詳細な説明】
【０００１】
【発明の属する技術分野】
本発明は、床部の左右両側から外側に突出するサイドホルダーに形成の係止孔に側柵（サイドレール）の脚部を上方から差し込んで固定する解除自在な寝台における側柵のロック装置に関する。
【０００２】
【従来の技術】
上記側柵のロック装置にて側柵をサイドホルダーに固定することにより、サイドホルダーから側柵が容易に抜けることがないようにしながらも、寝台への乗り降り時等においては、前記ロック装置をロック解除した後、側柵を取り外すことによって、寝台への乗り降りを側柵が邪魔することなく、スムーズに行えるようにしている。
そして、前記寝台における側柵のロック装置としては、例えば特開平９−２６６８３１号公報に示されるものがある。これは、寝台のサイドフレームに形成の係止孔に嵌入する脚部を備えた内部中空の支柱の２本とこれら脚部の上側に形成される柵部とから側柵を構成し、前記一方の支柱の内部に挿入され、かつ、該支柱の上端開口部に取り付けた基枠部材を貫通して上方に突出する軸部材の上端に、軸部材の長手方向に移動させるための操作レバーを水平軸芯周りで揺動自在に枢支連結している。前記軸部材の下端を前記支柱の下端開口部に内嵌させた下端側ほど先細りとなる円錐形状のスリーブに貫通突出させた後、その突出部を円筒状の押圧子に内挿し、前記軸部材の下端に形成の下端側ほど拡がり形状となる拡開端部の一部を前記押圧子から下方へ突出させている。従って、操作レバーを垂直姿勢から水平姿勢に揺動操作することにより、軸部材を上方に押し上げる。このとき、軸部材の拡開端部により押圧子が押し広げられ、係止孔の内壁面に押圧子を圧接することで側柵が上方側へ移動されることを阻止することができるようにしている。尚、前記操作レバーを水平姿勢から垂直姿勢に切り換えることによりロック装置をロック解除操作することができる。
【０００３】
【発明が解決しようとする課題】
上記構成によれば、支柱の内部に軸部材を入れたり、押圧子等を取り付ける関係上、支柱の構造が複雑になり、組み付け作業に多くの時間を要するだけでなく、前記余分な部材の他、側柵の支柱の直径を大きくしなければならないことから、側柵の重量が増大し、取扱難いものになっていた。
又、操作レバーが支柱の上端に位置しているため、寝台にいる方が寝返り等により手が不測に操作レバーに当たることにより、ロック解除操作されることがあり、信頼性において低いものであった。
【０００４】
本発明が前述の状況に鑑み、解決しようとするところは、取扱面において不利になること及び組み付け作業時間が多くかかることを解消することができる寝台における側柵のロック装置を提供する点にある。
【０００５】
【課題を解決するための手段】
本発明は、前述の課題解決のために、床部の左右両側から外側に突出するサイドホルダーに形成の係止孔に側柵の脚部を上方から差し込んで固定する解除自在な寝台における側柵のロック装置において、前記側柵の脚部の下側周面に位置する部位に該脚部をそれと直交する方向から押圧して該脚部の上方への移動を阻止するための押圧部材を前記サイドホルダーに備えさせ、前記押圧部材が上方側の水平軸芯周りで揺動自在に前記サイドホルダーに形成の凹部内に取り付けられ、該押圧部材を該サイドホルダーの凹部内に入り込んだロック姿勢と該凹部から外方側へ移動したロック解除姿勢とに前記押圧部材を姿勢変更自在に構成し、前記押圧部材にて前記脚部を押圧する部位が前記揺動軸芯よりも下方に位置させたことを特徴としている。
従って、サイドホルダーに備えさせた外部に露呈された押圧部材を押圧操作するだけで、押圧部材が側柵の脚部をそれと直交する方向から押圧して、脚部がサイドホルダーの特定部位に押し付けられた状態になり、側柵が上方に移動されることが阻止される。そして、前記側柵の脚部の下側周面に位置する部位とほぼ同一高さのサイドホルダーの部位に備えられた寝台よりも下方に位置する押圧部材であるから、寝台上にいる方が寝返り等により手が押圧部材に当たることがなく、押圧部材が不測に操作されることがない。前記押圧部材は、水平軸芯周りで揺動自在に設ける他、スライド移動自在に設けてもよい。尚、側柵が不要時には、脚部に対する押圧部材の押圧を解除することによって、側柵をサイドホルダーの係止孔から抜いて所定場所に置いておくことになる。
又、上記のように押圧部材を揺動操作することにより、押圧部材にて脚部を押圧するロック姿勢に切り換えたり、脚部から離間させて脚部の押圧を解除するロック解除姿勢にすることができる。そして、前記ロック姿勢の場合には、押圧部材にて脚部を押圧する部位が揺動軸芯よりも下方に位置させることによって、脚部の上方側への移動に伴って押圧部材が脚部に食い込む側へ揺動され、一層抜けにくくすることができる。
【０００６】
前記押圧部材が前後端面を有する形状に構成され、前記押圧部材の前後端面を接当案内するために前記凹部を構成する前後一対のガイド面を前記サイドホルダーに備えさせ、前記ガイド面に前記押圧部材の前後端面に前後方向にそれぞれ突出形成した突出部が該押圧部材のロック姿勢において係止保持するための係止孔を形成することによって、押圧部材をガイド面によるガイド作用によりスムーズに係止側へ移動させて係止孔にて確実にそのロック姿勢を保持させることができる。
【０００７】
前記押圧部材を、それの外形がほぼ長方形で側面視においてほぼＴ字形状に形成され、内部に多数の凹部を形成し、該押圧部材の左右方向外方に位置する面に水平方向の突起を形成し、前記サイドホルダーの内部に奥まった外面と該押圧部材との間に下方から指を突っ込むことができる隙間を形成してもよい。
【０００８】
前記係止孔が左右方向に長い長孔に構成することによって、製作誤差等を吸収することができる。
【０００９】
前記サイドホルダーが、前記床部を構成する床のうちの前方側に位置し、かつ、後方側の水平軸芯周りで起伏揺動自在な背部床に取り付けられている。
上記のように構成することによって、背部床を起立姿勢に揺動している最中、又は起立姿勢にした状態でも側柵にて身体が左右から寝台の外部へ移動することを阻止することができる。
【００１０】
前記サイドホルダーが、前記床部を構成する床のうちの後方側に位置し、かつ、前方側の水平軸芯周りで起伏揺動自在な膝部床の後端部に枢支連結された脚部床に取り付けられている。
上記のように構成することによって、膝部床を起立姿勢に揺動している最中、又は起立姿勢にした状態において姿勢が変更される脚部床に載せている身体の脚が左右から寝台の外部へ移動することを阻止することができる。
【００１１】
【発明の実施の形態】
図１〜図３に、寝台が示されており、この寝台は、前後端にそれぞれキャスター２を備えた左右一対の前後フレーム１，１とこれら前後フレームの前後２箇所の内面同士を左右方向で連結する左右フレーム３，３とからなる固定フレーム４と、この固定フレーム４に対して前後一対のリンク機構５，５及び伸縮式の電動モータ（図示せず）を介して昇降自在に支持された左右一対の支持フレーム６，６と、これら支持フレーム６，６の前後端に溶接された前後一対の連結フレーム７，７（前側の連結フレームのみ図示している）と、前記前側の連結フレーム７に取り付けられたヘッドボード８と、前記支持フレーム６，６の上面側に支持された床部９と、前記後側の連結フレーム（図示せず）に取り付けられたフットボード１０とを備えている。
【００１２】
前記床部９は、前後方向前側（ヘッドボード８側）から背部床１１、座部床１２、膝部床１３、脚部床１４の順に配置されている。前記３つの背部床１１、膝部床１３、脚部床１４は、後述するように可動式に構成し、前記座部床１２のみ固定式にしている。前記背部床１１及び前記脚部床１４の左右両側のそれぞれには、側柵（サイドレールとも言う）１５を差し込んで保持するための保持部材としてのサイドホルダー１６を取り付けてあり、背部床１１及び脚部床１４の可動に伴って側柵１５も一体的に可動させることによって、身体が左右に移動して寝台から落ちないようにガイドするようになっている。前記側柵１５を膝部床１３にも取り付けて実施することもできる。又、ここでは、３つの背部床１１、膝部床１３、脚部床１４が可動式の場合を示しているが、固定式のものであってもよい。
【００１３】
図２及び図３に示すように、前記背部床１１を起伏揺動操作することにより背部床１１を起立させた起立姿勢と水平姿勢に復帰させた使用姿勢とに切り換えるための背部床用駆動装置１７を設けている。
前記背部床用駆動装置１７は、前記背部床１１を揺動操作するために該背部床１１の裏面（下面）に一端が固定された背部床用操作アーム１８と、この操作アーム１８の他端に一端が取り付けられたロッド１９Ａを備えた伸縮式の背部床用電動モータ１９とから構成されている。
従って、電動モータ１９のロッド１９Ａを伸長作動させることにより、背部床１１の後端を前記座部床１２の左右両端に取り付けられた案内レール２０を介して前方側へ移動させながら背部床１１を起立姿勢（図３の２点鎖線では最大約８０度に設定しているが、何度に設定してもよい）に姿勢変更させて、身体の腰椎や腹部に背部床１１の起立姿勢への姿勢変更による屈曲圧が加わることを回避することができるようにしている。又、電動モータ１９のロッド１９Ａを短縮作動させることにより、背部床１１の後端を案内レール２０を介して後方側へ移動させながら背部床１１を使用姿勢に姿勢変更することができるようにしている。
【００１４】
前記膝部床１３も、前記背部床１１と同様に、起立させた起立姿勢と水平姿勢に復帰させた使用姿勢とに切り換えるための膝部床用駆動装置（図示せず）を設けてあり、図２に示すように膝部床１３を起立姿勢（最大角度は何度に設定してもよい）にすることにより脚部床１４を持ち上げることにより、両床１３，１４がほぼへの字状に姿勢変更することができるようにしている。
【００１５】
前記側柵１５は、図１及び図２に示すように、金属製のパイプ部材で構成する他、木やほぼ同一の強度を有するものであれば合成樹脂やその他のものであってもよい。又、前記側柵１５を、図４〜図７に示すように、多数のパイプ１５Ｐから構成してもよい。詳述すれば、外形がほぼ平行四辺形に形成された本体部１５Ａと、この本体部１５Ａの内部を上下方向でほぼ半分に仕切るための水平方向の仕切部１５Ｂと、この仕切部１５Ｂの下面のうちの前後２箇所から下方向に突出する前後一対の脚部１５Ｃ，１５Ｄとから側柵１５を構成しているが、他の構成であってもよい。尚、図６及び図７に示す２９は、前記脚部１５Ｃ，１５Ｄにそれの下方から外嵌された樹脂キャップであり、金属製の脚部１５Ｃ，１５Ｄをサイドホルダー１６に差し込む時に衝撃音が発生することを阻止することができる利点があるが、樹脂キャップ２９を省略して実施してもよい。前記樹脂キャップ２９の上端には、後述のスリーブ２６の上端に接当してサイドホルダー１６に対する脚部１５Ｃ，１５Ｄの差し込み位置を規制するためのリング状（環状）の突出部２９Ａを一体形成している。
【００１６】
前記サイドホルダー１６は、図５及び図９に示すように、合成樹脂製で内側が開放されると共に内部中空型に構成された断面形状がほぼコの字状に形成され、左右方向から見た側面視において、細長いホルダー本体１６Ｅと、このホルダー本体１６Ｅの長手方向両端下面それぞれに一体化されたほぼＶ字状の下側ホルダー１６Ｆ，１６Ｆとからなり、ホルダー本体１６Ｅの上側壁部に、前記脚部１５Ｃ，１５Ｄを差し込むことができる前後一対の貫通孔１６Ａ，１６Ｂ（図９では後側の貫通孔しか示していない）が形成されている。
又、前記サイドホルダー１６は、図５及び図６に示すように、前記背部床１１（図５では脚部床１４）の下面に固定された前後一対のブラケット２１，２１に固定されたサイドバンパーユニット２２に固定されている。前記サイドバンパーユニット２２は、前記ブラケット２１，２１の対向内面側に当て付けられた状態でボルトにより固定され、かつ、背部床の左右端よりも外方に設定長さ分のみ突出する角筒状の前後一対の横フレーム部２３，２３と、これら横フレーム部２３，２３の左右方向内方側端部同士を連結する角筒状の補強部材２４と、前記横フレーム部２３，２３の左右方向外方側端部同士を連結すると共に前記サイドホルダー１６の内部空間内に入り込んで該サイドホルダー１６を固定可能な内方側が開放されたサイドバンパー２５とからなり、図９に示すように、前記サイドホルダー１６に差し込まれた脚部１５Ｃ，１５Ｄを差し込んで支持するための上下一対の貫通孔２５Ａ，２５Ｂをサイドバンパー２５の前後に形成している。図９に示す２６は、前記脚部１５Ｄを前記貫通孔２５Ａに隙間のない状態で内挿するために前記サイドパンパー２５の上から挿入して固定されたスリーブである。
【００１７】
図９に示すように、前記脚部１５Ｄの下側周面のうちの左右方向外方側に位置する部位を押圧して、該脚部１５Ｄの上方への移動を阻止するためのアルミ製（容易に変形しないものであれば合成樹脂等であってもよい）の押圧部材２７をサイドホルダー１６に外部に露呈した状態で備えさせている。具体的には、前記押圧部材２７を、サイドホルダー１６に形成の凹部１６Ｃ内に入り込んだロック姿勢と凹部１６Ｃから外方側へ移動したロック解除姿勢とに姿勢変更自在に備えている。
前記押圧部材２７は、図９及び図１０（ａ），（ｂ）に示すように、外形がほぼ長方形で側面視においてほぼＴ字形状に形成され、内部には多数の凹部２７Ａ，２７Ｂ，２７Ｃ，２７Ｄ，２７Ｅ，２７Ｆが形成されている。そして、上部にピン２８を貫通させるための貫通孔２７Ｋを備えさせて、図９に示すように押圧部材２７をそれの下端を持って上方側の前後方向の水平軸芯Ｘ周りで揺動させることにより、図８（ａ）に示すロック解除姿勢と図８（ｂ）に示すロック姿勢とに切り換えることができるようにしている。そして、前記押圧部材２７の姿勢変更時には、前記凹部１６Ｃを構成する前後の縦壁の壁面１６Ｄ，１６Ｄが、前記押圧部材２７の前後端面２７Ｇ，２７Ｇを接当案内する前後一対のガイド面を構成している。又、前記押圧部材２７の左右方向外方に位置する面（外面）には、押圧部材２７の下端を指で掴んだときに滑り難くするための水平方向の突起２７Ｓの５つ（何個でもよい）を所定間隔置きに形成している。従って、図９に示すように、サイドホルダー１６の内部に奥まった外面１６Ｇと押圧部材２７との隙間から前記凹部２７Ｆに特定の指を突っ込むと共に突起２７Ｓに他の指を当てて押圧部材２７を挟持してそれの下端を上方に確実に揺動操作することができるようにしている。又、前記押圧部材２７の前後の側面それぞれの下部に、円形の突出部２７Ｔが形成され、前記押圧部材２７のロック姿勢において前記突出部２７Ｔを係止保持するための係止孔としての左右方向に長い長孔１６Ｈを、前記前後の壁面１６Ｄ，１６Ｄにそれぞれ形成して、押圧部材２７をロック姿勢に確実に維持することができるようにしている。
【００１８】
前記押圧部材２７にて前記脚部１５Ｄを固定する状態と固定解除する状態とを説明すれば、まず、図９の２点鎖線で示す姿勢から押圧部材２７が凹部１６Ｃ内に入り込むことにより、押圧部材２７の上部に形成の前後一対の延出板部２７Ｈ，２７Ｈ間に脚部１５Ｄが入り込んだ状態になり、脚部１５Ｄの前後方向での移動を不能にすると同時に、前記凹部２７Ｃが脚部１５Ｄを押圧することにより、脚部１５Ｄをスリーブ２６の内面又はサイドバンパー２５の貫通孔２５Ｂに押し付けて、脚部１５Ｄが上方に移動しようとしても、凹部２７Ｃの押圧力により発生するスリーブ２６の内面又はサイドバンパー２５の貫通孔２５Ｂとの摩擦力により、脚部１５Ｄの上方側への移動を阻止する状態になる（脚部１５Ｄを固定する状態）。このとき、押圧部材２７の突出部２７Ｔ，２７Ｔが長孔１６Ｈ，１６Ｈに係止していることから、押圧部材２７がロック解除姿勢に容易に切り換えられることがない。尚、前記ロック解除姿勢に押圧部材２７を切り換える場合には、前述したように押圧部材２７の下端部を掴んで上方の水平軸芯Ｘ周りに揺動させて、図８（ａ）及び図９の２点鎖線で示す姿勢に姿勢変更することになる。前記のように、押圧部材２７の上方の水平軸芯Ｘに対して押圧部、つまり凹部２７Ｃを下方に位置させることによって、図１１に示すように、脚部１５Ｄが上方に持ち上げられる場合に、押圧部材２７が水平軸芯Ｘを中心として脚部１５Ｄに食い込む側に揺動されることになり、脚部１５Ｄをサイドホルダー１６からより一層抜けにくくすることができるが、押圧部材２７を下方の水平軸芯周りで揺動自在に設けたものであってもよい。又、押圧部材２７を揺動式に構成する他、水平方向で移動自在なスライド式に構成して実施することもできる。又、前記押圧部材２７を左右両側から容易に操作することができるように左右方向外方に露呈するように配置したが、押圧部材２７を前後方向外方に露呈するように配置して実施してもよい。又、一方の脚部１５Ｄの上方への移動を阻止する構成であるが、他方の脚部１５Ｃにも上方への移動を阻止する構成を付加して実施することもできる。
【００１９】
【発明の効果】
請求項１の発明によれば、サイドホルダーに備えさせた外部に露呈された押圧部材を側柵の脚部に押圧操作可能に設けるだけの簡素な構成で、側柵が上方に移動することを阻止することができ、取扱面及び組み付け面の両方において有利にすることができる寝台における側柵のロック装置を提供することができる。そして、前記側柵の脚部の下側周面とほぼ同一高さのサイドホルダーの部位に備えられた押圧部材であるから、寝台上にいる方が寝返り等により手が押圧部材に当たることがなく、押圧部材が不測に操作されることがなく、信頼性の向上を図ることができる。
又、押圧部材を揺動操作してロック姿勢に切り換えた場合に、脚部の上方側への移動に伴って押圧部材が脚部に食い込む側へ揺動される構成となるため、一層抜けにくくすることができ、不測にロック解除状態になることがなく、信頼性の高い寝台における側柵のロック装置を提供することができる。
【００２０】
請求項２の発明によれば、押圧部材をガイド面によるガイド作用によりスムーズに押圧側へ移動させて、係止孔にて確実に押圧部材をロック姿勢に保持させることができ、操作性及び信頼性のいずれにおいても有利な側柵のロック装置にすることができる。
【００２２】
請求項４の発明によれば、係止孔が左右方向に長い長孔に構成することによって、製作誤差等を吸収することができ、製作面において有利になる。
【図面の簡単な説明】
【図１】寝台の斜視図である。
【図２】背部床を少し持ち上げると共に膝部床及び脚部床をへの字状に姿勢変更した寝台の斜視図である。
【図３】寝台の一部切欠き縦断側面図である。
【図４】側柵の斜視図である。
【図５】側柵のサイドホルダーの取り付け構造を示す斜視図である。
【図６】側柵のサイドホルダーの取り付け構造を示す縦断背面図である。
【図７】側柵のサイドホルダーの取り付け構造を示す側面図である。
【図８】側柵のサイドホルダーの取り付け構造の一部切欠き縦断背面図を示し、（ａ）は押圧部材をロック姿勢にした状態を示し、（ｂ）は押圧部材をロック解除姿勢に切り換えた状態を示している。
【図９】側柵のサイドホルダーの縦断背面図である。
【図１０】押圧部材を示し、（ａ）はそれの正面図、（ｂ）は（ａ）を右から見た右側面図である。
【図１１】押圧部材にて脚部を押圧している状態を示す説明図である。
【符号の説明】
１  前後フレーム        ２  キャスター
３  左右フレーム        ４  固定フレーム
５  リンク機構          ６  電動モータ
７  連結フレーム        ８  ヘッドボード
９  床部                １０  フットボード
１１  背部床            １２  座部床
１３  膝部床            １４  脚部床
１５  側柵              １５Ａ  本体部
１５Ｂ  仕切部          １５Ｃ，１５Ｄ  脚部
１５Ｐ  パイプ          １６  サイドホルダー
１６Ａ，１６Ｂ  貫通孔  １６Ｄ  壁面（ガイド面）
１６Ｇ  外面            １６Ｈ  長孔（係止孔）
１７  背部床用駆動装置  １８  背部床用操作アーム
１９  背部床用電動モータ
１９Ａ  ロッド
２０  案内レール        ２１  ブラケット
２２  サイドバンパーユニット
２３  横フレーム部      ２４  補強部材
２５  サイドバンパー    ２５Ａ，２５Ｂ  貫通孔
２６  スリーブ          ２７  押圧部材
２７Ａ〜２７Ｆ  凹部    ２７Ｈ  延出板部
２７Ｌ  縦リブ          ２７Ｓ  突起
２７Ｔ  突出部          ２８  ピン
２９  樹脂キャップ      ２９Ａ  突出部
【図１】
0003760848.tif 000002
【図２】
0003760848.tif 000003
【図３】
0003760848.tif 000004
【図４】
0003760848.tif 000005
【図５】
0003760848.tif 000006
【図６】
0003760848.tif 000007
【図７】
0003760848.tif 000008
【図８】
0003760848.tif 000009
【図９】
0003760848.tif 000010
【図１０】
0003760848.tif 000011
【図１１】
0003760848.tif 000012